(57)【要約】      （修正有）【課題】リップスティッククリームのように急に必要となる小物を迅速に使えるようにする。【解決手段】胴部２１ｂと胴部に屈曲可能に接続された頭部２１ａとを少なくとも備えたぬいぐるみ形態に形成されたぬいぐるみ体２０と、一端をぬいぐるみ体２０に、他端をバック等の他の物に着脱可能に連結される紐状連結体３０とを備え、前記ぬいぐるみ体２０が、頭部２１ａに開口２４を設けていると共に、前記頭部２１ａから胴部２１ｂに向かって柱状小物を収容する袋体２５を組み込み、該袋体２５が、頭部２１ａに対応する領域に前記開口２４に連通する開口２６を設ける。【選択図】図２
0003116071.tif 000002
【実用新案登録請求の範囲】
【請求項１】
胴部と胴部に屈曲可能に接続された頭部とを少なくとも備えたぬいぐるみ形態に形成されたぬいぐるみ体と、一端をぬいぐるみ体に、他端をバック等の他の物に着脱可能に連結される紐状連結体とを備え、前記ぬいぐるみ体が、頭部に開口を設けていると共に、前記頭部から胴部に向かって柱状小物を収容する袋体を組み込み、該袋体が、頭部に対応する領域に前記開口に連通する開口を設けたことを特徴とするぬいぐるみ型小物入れ。
【請求項２】
前記ぬいぐるみ体が動物の形態に形成され、前記柱状小物がリップスティッククリームからなり、前記袋体がリップスティッククリーム収容する大きさに形成されている請求項１に記載のぬいぐるみ型小物入れ。
【請求項３】
前記紐状連結体がキーホルダーチェーンの形態に形成されている請求項２に記載のぬいぐるみ型小物入れ。
【考案の詳細な説明】
【技術分野】
【０００１】
本考案は、ぬいぐるみ型小物入れに係わり、具体的には、リップスティッククリームなどの柱状小物を携帯するのに好適なぬいぐるみ型小物入れに関する。
【背景技術】
【０００２】
柱状小物、例えばリップスティッククリームは、カバン、バック、バックパック（リュックサック）等の中に入れて外出し、必要に応じて、これらから取り出して唇に塗布している。しかしながら、バック等には、リップスティッククリームを収容するための特別な場所がなく、一方、リップスティッククリームは急に必要になることが多く、その都度バック等の中を探して使用しなければならず、とても不便である。
【考案の開示】
【考案が解決しようとする課題】
【０００３】
本考案は、上記の点に鑑みリップスティッククリームのような急に必要となる柱状小物を迅速に手に取れるようにすることを、その課題とする。
【課題を解決するための手段】
【０００４】
上記課題を解決することを目的としてなされた本考案小物入れの構成は、胴部と胴部に屈曲可能に接続された頭部とを少なくとも備えたぬいぐるみ形態に形成されたぬいぐるみ体と、一端をぬいぐるみ体に、他端をバック等の他の物に着脱可能に連結される紐状連結体とを備え、前記ぬいぐるみ体が、頭部に開口を設けていると共に、前記頭部から胴部に向かって柱状小物を収容する袋体を組み込み、該袋体が、頭部に対応する領域に前記開口に連通する開口を設けたことを特徴とするものである。
【考案の効果】
【０００５】
本考案ぬいぐるみ型小物入れは、胴部と胴部に屈曲可能に接続された頭部とを少なくとも備えたぬいぐるみ形態に形成されたぬいぐるみ体と、一端をぬいぐるみ体に、他端をバック等の他の物に着脱可能に連結される紐状連結体とを備え、前記ぬいぐるみ体が、頭部に開口を設けていると共に、前記頭部から胴部に向かって柱状小物を収容する袋体を組み込み、該袋体が、頭部に対応する領域に前記開口に連通するスリットを設けられているため、リップスティッククリームのような急に必要となる柱状小物を携行して、いつでも、どこでも迅速に使うことができる。
【０００６】
即ち、本考案ぬいぐるみ型小物入れは、ぬいぐるみ体が、頭部に開口を設けていると共に、頭部から胴部に向かって柱状小物を収容する袋体を組み込み、該袋体が、頭部に対応する領域に前記開口に連通するスリットを設けているため、柱状小物を頭部にある開口から袋体内部に収容することにより、柱状小物を収納しておくことができる。また、ぬいぐるみ体は、胴部と胴部に屈曲可能に接続された頭部とからなるため、頭部を曲げることによって、柱状小物の一部が外部に露出され、柱状小物を手早くにぬいぐるみ体から取り出して使用することができるのみならず、収納も簡単に行なうことができる。例えば、柱状小物がリップスティッククリームであれば、ぬいぐるみ体の頭部を曲げることによって、キャップ付近が外部に露出されるから、いつでも、どこでも、必要とするときに、前記クリームを直ちに手に取って唇に塗布することができ、又、再び頭部を曲げることによって、袋体が開くので、リップスティッククリームを袋体に簡単に収納することができ、極めて便利である。
【０００７】
本考案ぬいぐるみ型小物入れは、一端をぬいぐるみ体に、他端をバック等の他の物に着脱可能に連結された紐状連結体を備え、該紐状連結体によってこのぬいぐるみ型小物入れをカバン、バック、バックパック等の外部や内部に吊り下げることができるから、カバン、バック、バックパック等の他の物に対するアクセサリーやマスコットとして、本考案ぬいぐるみ型小物入れを使用することができる。また、ぬいぐるみ体と袋体とを略同じ長さに形成したものでは、本考案ぬいぐるみ型小物入れを柱状小物の長さに合わせた、全高の小さなものとすることができるから、カバン、バック、バックパックばかりか、携帯電話のような小型機器にもアクセサリーやマスコットとして使用することができる。
【考案を実施するための最良の形態】
【０００８】
以下、添付図を参照して、本考案のぬいぐるみ型小物入れの実施の形態を説明する。添付図にて、図１は本考案ぬいぐるみ型小物入れの一実施例を示す正面図、図２は図１に示す本考案ぬいぐるみ型小物入れの背面図、図３は図２の３−３線に沿う断面図、図４は柱状小物の装着状態を示す上部背面図、図５は柱状小物の取り出し状態を示す説明図である。
【０００９】
本考案ぬいぐるみ型小物入れは、リップスティッククリーム１０を収容するためのもので、ぬいぐるみ体２０と紐状連結体３０を備えている。
【００１０】
リップスティッククリーム１０は、公知のスティックタイプ口紅と同様の構造，形態のものであり、ケース１１とキャップ１２を備えている。ケース１１は一端を開放された中空円筒状で、内部に進退式でリップクリームが収装されている。キャップ１２は、このケース１１の開放端部に着脱式で嵌合されており、ケース内のリップクリームを保護している。
【００１１】
図示した実施例においては、ぬいぐるみ体２０は、頭部２１ａ、胴部２１ｂ、手部２１ｃ及び足部２１ｄをもつ小熊の形態に形成されているが、ぬいぐるみ体は、コアラ、小熊、ラッコ、擬人化されたあひるや子ネズミ、鯨やいるか等の愛玩動物、野菜、果物、アニメ人形等々の形態に形成したものでもよい。ぬいぐるみ体２０の頭部２１ａ、胴部２１ｂ、手部２１ｃ及び足部２１ｄは、図３に例示したように、クッション材２２、例えば発泡合成樹脂の小片を植毛布などからなる外皮２３によって包み込んだもので、自由に動かせるように互いに接続されている。
【００１２】
ぬいぐるみ体２０の外皮２３における後頭部に該当する領域には、図２に示すように、縦向きスリット状の開口２４が設けられている。他方、ぬいぐるみ体２０に内部には、袋体２５が収容装備されている。この袋体２５は、一例として滑りのよい布で形成し、リップスティッククリーム１０に対応するサイズをもつ中空円筒形の形態に形成されている。袋体２５の背面の上部側には開口２４に対応する長さのスリット状の開口２６が形成されている。この袋体２５は、その開口２６をぬいぐるみ体２０の開口２４に一致させ、上部を頭部２１ａに位置付け、下部を頭部２１ａと胴部２１ｂとの間を通って胴部２１ｂの下方に向かって延びるように位置付けて、ぬいぐるみ体２０の内部に組み込まれ、開口２４の両側と袋体２５の開口２６とを縫い合わせることなどにより合体させて、ぬいぐるみ体２０の内部に装着されている。なお、袋体２５の深さは、図示した例に限られるものではない。
【００１３】
なお、図示したぬいぐるみ体２０では、レース地等からなるリボン２７が、袋体２５における頭部２１ａと胴部２１ｂとを接続する部分２８に結ばれている。
【００１４】
紐状連結体３０には、一例としてキーホルダーチェーンを用いている。キーホルダーチェーン３０は、チェーン３１の一端に開閉可能な留め輪３２を、他端に無端状の留め輪３３を有している。留め輪３３は、ぬいぐるみ体２０の頭部２１ａに両端を縫合された止バンド２９に通され、ぬいぐるみ体２０から離脱しないようさせられている。なお、紐状連結体３０としては、上記チェーンのほか、ボールチェーン，組紐，鎖など紐状連結体として機能するものであれば、何でもよい。
【００１５】
本考案ぬいぐるみ型小物入れは、キーホルダーチェーン３０の留め輪３２によってカバン、バック、バックパック等に吊り下げられる。取付けは、留め輪３２を開き、例えばバックパックの背負い紐に嵌め、留め輪３２を閉じることによってなされる。装着すると、ぬいぐるみ体２０が、愛玩動物としての小熊の形態に形成されているため、アクセサリーやマスコットとして、カバン、バック、バックパック等を飾ることができる。
【００１６】
リップスティッククリーム１０は、図３に示すように、開口２４から袋体２５の中に収納されると共に、ぬいぐるみ体２０の外皮２３における開口２４および袋体２５における開口２６の両側がリップスティッククリーム１０に覆い被さって、リップスティッククリーム１０の抜け出しを阻止する。このため、携行に際して、カバン等の他物が強く揺れても、リップスティッククリーム１０の全体が袋体２５の内部に収容され、且つ袋体２５によって押さえられているので、リップスティッククリーム１０がぬいぐるみ体２０の外部に抜け出したり落下することはなく、リップスティッククリーム１０を安心して携行することができる。
【００１７】
使用に際しては、手にしているカバン、バック、バックパック等に吊り下げられているぬいぐるみ体２０を手に取り、頭部２１ａを前方に折り曲げる。そうすると、図５に示すように、リップスティッククリーム１０のキャップ１２が開口２４，２６から外部に露出する。そこで、キャップ１２を指でつまみ、リップスティッククリーム１０を袋体２５から抜き出し、キャップ１２を外すことで、唇にリップクリームを塗布することができる。
【００１８】
使用後は、キャップ１２をケース１１に嵌め、リップスティッククリーム１０をぬいぐるみ体２０の開口２４，２６から袋体２５の中に差し込み、頭部２１ａを後方に軽く曲げることによって、リップスティッククリーム１０が袋体２５の内部に収容されるから、安心してバック等を持ち運ぶことができる。
【産業上の利用可能性】
【００１９】
本考案によるぬいぐるみ型小物入れは以上の通りであって、カバン、バック、バックパック等に対するアクセサリーやマスコットとして使用することができ、リップスティッククリームを、紛失を心配することなく、いつでも使用可能状態で携行することができる。そして、ぬいぐるみ体２０と袋体２５とを略同じ長さに形成した場合には、本考案ぬいぐるみ型小物入れをリップスティッククリーム１０の長さに合わせた、全高の小さなものとすることができるので、カバン、バック、バックパックばかりか、携帯電話のような小型機器にもアクセサリーやマスコットとして使用することができる。
【００２０】
また、ぬいぐるみ体２０は、胴部２１ｂとこれに屈曲可能に接続された頭部２１ａからなっているため、ぬいぐるみ体２０の頭部２１ａを前方に曲げるだけで、キャップ１２の部位を外部に露出させることができ、従って、いつでも、どこでも、必要とするときに、リップスティッククリーム１０を直ちに手に取って唇に塗布できる。また、使用後は再び頭部２１ａを前方に曲げることによってリップスティッククリーム１０を袋体２５の中に容易に収納できるから、柱状小物の入れ物として極めて使い勝手が良好である。リップスティッククリーム１０がぬいぐるみ体２０の中に収納されると、開口２４，２６が閉じられるので、このぬいぐるみ型小物入れから脱落することはないので、安心して携行することができる。
【００２１】
以上に説明した実施例において、ぬいぐるみ体２０を小熊の形態に形成し、袋体２５における頭部２１ａと胴部２１ｂとの間の領域である首部にリボン２７を巻き付けてあるが、ぬいぐるみ体２０の形態に応じて、リボン２７を設けないこともある。
【図面の簡単な説明】
【００２２】
【図１】本考案ぬいぐるみ型小物入れの一実施例を示す正面図。
【図２】図１に示す本考案ぬいぐるみ型小物入れの背面図。
【図３】図２の３−３線に沿う断面図。
【図４】柱状小物の装着状態を示す上部背面図。
【図５】柱状小物の取り出し状態を示す説明図。
【符号の説明】
【００２３】
１０      柱状小物（リップスティッククリーム）
１１      ケース
１２      キャップ
２０      ぬいぐるみ体
２１ａ    頭部
２１ｂ    胴部
２１ｃ    手部
２１ｄ    足部
２２      クッション材
２３      外皮
２４      ぬいぐるみ体２０の開口
２５      袋体
２６      袋体２５の開口
２７      リボン
２８      首部
２９      止バンド
３０      紐状連結体（キーホルダーチェーン）
３１      チェーン
３２      開閉可能な留め輪
３３      無端状留め輪  
【図１】
0003116071.tif 000003
【図２】
0003116071.tif 000004
【図３】
0003116071.tif 000005
【図４】
0003116071.tif 000006
【図５】
0003116071.tif 000007